(57)【特許請求の範囲】
【請求項１】
前後方向に延び、前後方向の中央よりも後ろ側に立設されたバランスピンを支点として揺動する鍵を備えた電子鍵盤楽器において、鍵の後端部に載置されるとともに押鍵された鍵に連動して回動するハンマーを備えた電子鍵盤楽器のハンマー装置であって、
前記ハンマーは、
前後方向に延び、後端部の支点を中心として上下方向に回動自在に構成され、前記バランスピンよりも後方に配置されたハンマー本体と、
前端が前記バランスピンよりも前方に位置した状態で、前記ハンマー本体に取り付けられた錘と、
を有し、
前記錘は、前記ハンマーの回動時に前記バランスピンに干渉しないように構成されていることを特徴とする電子鍵盤楽器のハンマー装置。
【請求項２】
前記錘は、前記ハンマー本体の左右の側面に取り付けられた左右２つの錘で構成されており、
前記左右２つの錘は、少なくとも前記バランスピンの付近において、当該バランスピンの横断面の直径よりも大きい間隔を隔てた状態になるように構成されていることを特徴とする請求項１に記載の電子鍵盤楽器のハンマー装置。
【発明の詳細な説明】
【技術分野】
【０００１】
本発明は、電子ピアノなどの電子鍵盤楽器に適用され、押鍵された鍵に連動して回動するハンマーを備えた電子鍵盤楽器のハンマー装置に関する。
【背景技術】
【０００２】
従来、この種のハンマー装置を備えた電子ピアノの鍵盤装置として、例えば特許文献１に開示されたものが知られている。この鍵盤装置は、揺動自在の複数の鍵と、鍵ごとに設けられ、押鍵に伴って回動する複数のハンマーとを備えている。各鍵は、前後方向の中央付近に立設されたバランスピンに揺動自在に支持されている。各ハンマーは、前後方向に延びるアーム状のハンマー本体と、このハンマー本体の前端部に取り付けられた錘とを有している。また、ハンマーは、後端部の軸受けを介して、アクションシャーシに回動自在に支持されており、軸受よりも前方の所定位置に下方からねじ込まれたキャプスタンスクリューを介して、対応する鍵の上面後端部に載置されている。
【０００３】
また、上記の鍵盤装置では、鍵の前端からバランスピンまでの長さ（以下「鍵前部長さ」という）と、バランスピンからハンマーが鍵に当接するキャプスタンスクリューまでの長さ（以下「鍵後部長さ」という）との比が、約３：２に設定されている。
【０００４】
電子ピアノでは通常、奥行き寸法に対するコンパクト化の要請があるため、鍵全体の前後方向の長さは、アコースティックなグランドピアノ（以下、単に「グランドピアノ」という）のそれに比べて短く構成される。また、上記の鍵盤装置では、上述したように、鍵前部長さと鍵後部長さとの比が、約３：２に設定されているため、その鍵前部長さは、グランドピアノのそれに比べて非常に短い。このため、上記の鍵盤装置を備えた電子ピアノを演奏する際に、例えば鍵の前端付近の部分を押し下げる場合と、鍵の前端から奥側に離れた部分を押し下げる場合とでは、グランドピアノを演奏する場合と異なり、荷重差が大きくなり、グランドピアノに近似したタッチ感を十分に得ることができない。
【０００５】
そこで、近年、電子ピアノにおいて、奥行き寸法をコンパクトに維持しながら、グランドピアノに近似したタッチ感を得られるよう、鍵前部長さをより長く、鍵後部長さをより短くすること、すなわち、バランスピンを従来よりも後ろ側に配置することが検討されている。
【先行技術文献】
【特許文献】
【０００６】
【特許文献１】特開２０１０−２６２１２９号公報
【発明の概要】
【発明が解決しようとする課題】
【０００７】
しかし、バランスピンの位置を従来よりも後ろ側に配置した鍵盤装置において、従来のハンマー装置をそのまま適用すると、次のような問題がある。すなわち、バランスピンがハンマーの前端付近に配置されている場合、押鍵に連動して上方に回動したハンマーが、離鍵に伴い、下方に回動して元の離鍵状態の位置に戻るときに、バランスピンに当たってしまうおそれがある。また、電子ピアノのハンマー装置では一般に、メンテナンス時などに、ハンマーが、それを支持するアクションシャーシから取り外せるように構成される。この場合、鍵に連動して回動する範囲では、アクションシャーシから取り外せないものの、キャプスタンスクリューを介してハンマーを載置する鍵が鍵盤装置から取り外された状態において、ハンマーを離鍵状態の位置よりも下方に回動させることで、アクションシャーシから取り外せるようになっている。しかし、上述したように、バランスピンがハンマーの前端付近に配置されている場合、ハンマーを離鍵状態の位置よりも下方に回動させようとすると、ハンマーがバランスピンに当たり、ハンマーを、取り外し可能な位置まで回動させることができないことがある。その場合には、ハンマーをアクションシャーシから簡単には取り外すことができなくなってしまう。
【０００８】
本発明は、以上のような課題を解決するためになされたものであり、バランスピンがハンマーの前端付近の下方に立設されている場合でも、ハンマーがバランスピンに当たるのを確実に回避できるとともに、ハンマーの取り外しを確保することができる電子鍵盤楽器のハンマー装置を提供することを目的とする。
【課題を解決するための手段】
【０００９】
上記の目的を達成するために、請求項１に係る発明は、前後方向に延び、前後方向の中央よりも後ろ側に立設されたバランスピンを支点として揺動する鍵を備えた電子鍵盤楽器において、鍵の後端部に載置されるとともに押鍵された鍵に連動して回動するハンマーを備えた電子鍵盤楽器のハンマー装置であって、ハンマーは、前後方向に延び、後端部の支点を中心として上下方向に回動自在に構成され、バランスピンよりも後方に配置されたハンマー本体と、前端がバランスピンよりも前方に位置した状態で、ハンマー本体に取り付けられた錘と、を有し、錘は、ハンマーの回動時にバランスピンに干渉しないように構成されていることを特徴とする。
【００１０】
この構成によれば、ハンマーは、前後方向の中央よりも後ろ側に立設されたバランスピンを支点として揺動する鍵の後端部に載置されており、押鍵された鍵に連動して回動する。このハンマーは、前後方向に延び、後端部の支点を中心として上下方向に回動自在のハンマー本体と、これに取り付けられた錘と、を有している。ハンマー本体は、バランスピンよりも後方に配置されているので、ハンマーの回動時に、バランスピンに当たることはない。一方、錘は、その前端がバランスピンよりも前方に位置しており、つまり、バランスピンが錘の下方に位置している。この錘は、ハンマーの回動時にバランスピンに干渉しないように構成されているので、押鍵に連動して上方に回動したハンマーが、離鍵に伴い、下方に回動して元の離鍵状態の位置に戻る場合でも、錘がバランスピンに当たることはない。
【００１１】
また、上記のハンマー装置において、前述した一般的なハンマー装置と同様、ハンマーを離鍵状態の位置よりも下方に回動させることによって、そのハンマーが取り外せるように構成されている場合、ハンマーを取り外す際には、ハンマーが載置されていた鍵を取り外した状態において、ハンマーを下方に回動させる。上述したように、ハンマーの錘は、ハンマーの回動時にバランスピンに干渉しないので、ハンマーの取り外しの際に、バランスピンが邪魔になることはない。以上のように、本発明によれば、バランスピンがハンマーの前端付近の下方に立設されている場合でも、ハンマーがバランスピンに当たるのを確実に回避できるとともに、ハンマーの取り外しを確保することができる。
【００１２】
請求項２に係る発明は、請求項１に記載の電子鍵盤楽器のハンマー装置において、錘は、ハンマー本体の左右の側面に取り付けられた左右２つの錘で構成されており、左右２つの錘は、少なくともバランスピンの付近において、バランスピンの横断面の直径よりも大きい間隔を隔てた状態になるように構成されていることを特徴とする。
【００１３】
この構成によれば、ハンマー本体の左右の側面に取り付けられた左右２つの錘は、少なくともバランスピンの付近において、そのバランスピンの横断面の直径よりも大きい間隔を隔てた状態になるように構成されているので、ハンマーの回動時に、両錘がバランスピンに当たることはない。したがって、上記構成により、請求項１の前述した作用、効果を有するハンマー装置を、容易に実現することができる。
【図面の簡単な説明】
【００１４】
【図１】本発明の一実施形態によるハンマー装置を適用した電子ピアノの鍵盤装置を、一部を切り欠いた状態で示す側面図である。
【図２】ハンマーサポートを示す斜視図であり、（ａ）は、１オクターブ分のハンマーサポートの全体を示し、（ｂ）は、一部を切り欠いた状態を示す。
【図３】ハンマーサポートを示す図であり、（ａ）は平面図、（ｂ）は正面図である。
【図４】白鍵用のハンマーを示す図であり、（ａ）は平面図、（ｂ）は側面図である。
【図５】（ａ）は、押鍵時におけるハンマーの回動範囲を説明するための説明図、（ｂ）は、ハンマーを取り外す際のハンマーの動作を説明するための説明図である。
【図６】黒鍵用のハンマーとバランスピンとの関係を説明するための図であり、（ａ）は平面図、（ｂ）は側面図である。
【図７】黒鍵用のハンマーの変形例を示す図であり、（ａ）は平面図、（ｂ）は側面図である。
【発明を実施するための形態】
【００１５】
以下、図面を参照しながら、本発明の好ましい実施形態を詳細に説明する。図１は、本発明の一実施形態によるハンマー装置を適用した電子ピアノの鍵盤装置を、離鍵状態において示している。
【００１６】
同図に示すように、鍵盤装置１は、電子ピアノの左右方向（図１の表裏方向）に並んだ多数の鍵２（白鍵２ａおよび黒鍵２ｂを各１つのみ図示）と、これらの鍵２を支持する鍵盤シャーシ３と、この鍵盤シャーシ３の後端部（図１の右端部）に連結されたハンマーサポート４と、鍵２ごとに設けられ、押鍵された鍵２に連動して回動する多数のハンマー５（１つのみ図示）と、ハンマー５ごとに設けられ、鍵２の押鍵時にレットオフ感を付与するための多数のレットオフ部品６（１つのみ図示）と、鍵２の押鍵情報を検出するための鍵スイッチ７などで構成されている。
【００１７】
鍵盤シャーシ３は、左右方向に延びる前レール９ａ、中レール９ｂおよび後レール９ｃから成る３本の支持レール９と、前後方向に延びる５本の補強用のリブ１０とを、井桁状に組み立てたものであり、棚板（図示せず）上に固定されている。これらの支持レール９およびリブ１０はいずれも、プレスによる打抜きおよび折曲げ加工によって所定の形状に形成された鉄板で構成されている。支持レール９の板厚は、その軽量化のためにより薄く（例えば１．０ｍｍ）、リブ１０の板厚は、補強のためにより厚く（例えば１．６ｍｍ）設定されている。
【００１８】
前レール９ａの下面および中レール９ｂの上面にはそれぞれ、筬前１１および筬中１２が固定されている。筬前１１および筬中１２は、合成樹脂から成る肉厚の板状のものであり、前レール９ａおよび中レール９ｂの全体にわたって左右方向に延びている。筬中１２には、白鍵２ａおよび黒鍵２ｂに対応する前後の位置に、多数のバランスピン１３が、左右方向に並んだ状態で立設されている。また、筬前１１には、白鍵２ａおよび黒鍵２ｂに対応する前後の位置に、多数のフロントピン１４が、左右方向に並んだ状態で立設されている。
【００１９】
鍵２は、前後方向に延びるとともに矩形状の横断面を有する木製の鍵本体１５と、その前部の上面および前面に接着された合成樹脂製の鍵カバー１６で構成されている。鍵本体１５の中央よりも後ろ側には、バランスピン孔１７が形成されており、鍵２は、このバランスピン孔１７を介して、バランスピン１３に揺動自在に支持されている。また、鍵本体１５の前端部には、フロントピン孔１８が形成されており、このフロントピン孔１８がフロントピン１４に係合することによって、鍵２が回動する際の左右方向のぶれが防止される。
【００２０】
ハンマーサポート４は、合成樹脂で構成され、例えば１オクターブ分の複数の成形品を互いに連結したものであり、すべてのハンマー５にわたるように左右方向に延びており、鍵盤シャーシ３の後レール９ｃにねじ止めされている。ハンマーサポート４は、この後レール９ｃ付近から直立するハンマー支持部１９と、その上端部から前方に斜め上がりに延びるスイッチ取付部２０などで構成されている。ハンマー支持部１９の上端部には、各ハンマー５を支持するための水平なピン状の支点軸部２１が形成されている。
【００２１】
ハンマー５は、前後方向に延びるアーム状のハンマー本体２２と、その左右の側面の前端部に取り付けられた錘板２３（１つのみ図示）を有する。ハンマー本体２２は合成樹脂で構成され、錘板２３は、比重が比較的大きな鉄などの金属材料で構成されている。ハンマー本体２２の後端部には、円弧状の軸穴２４が形成されており、ハンマー５は、この軸穴２４が支点軸部２１に係合することによって、ハンマーサポート４に回動自在に支持されている。
【００２２】
また、ハンマー本体２２の下面には、軸穴２４のすぐ前側の位置に、キャプスタンスクリュー２５が進退自在にねじ込まれている。ハンマー５は、このキャプスタンスクリュー２５を介して、鍵２の後端部に載置されている。また、ハンマー本体２２の上面の軸穴２４とキャプスタンスクリュー２５との間の部分は、押鍵時に鍵スイッチ７を作動させるためのアクチュエータ部２６になっている。さらに、ハンマー本体２２の上面の前後方向の中央には、押鍵時にレットオフ部品６に係合する板状の係合突起２７が設けられている。
【００２３】
レットオフ部品６は、所定の弾性材料（例えば、スチレン系の熱可塑性エラストマーなど）の成形品で構成されており、ハンマーサポート４のスイッチ取付部２０に取り付けられている。レットオフ部品６は、スイッチ取付部２０から後ろ下がりに斜めに延びており、その先端部には、くびれ部を介して頭部２８が形成されている。この頭部２８は、離鍵状態において、ハンマー５の係合突起２７に対向している。
【００２４】
また、鍵スイッチ７は、プリント基板から成るスイッチ基板２９と、このスイッチ基板２９の下面に、鍵２ごとに設けられたゴムスイッチから成るスイッチ本体３０で構成されている。スイッチ基板２９は、その後端部がスイッチ取付部２０に差し込まれるとともに、前端部および中央部がスイッチ取付部２０にねじ止めされている。また、スイッチ本体３０は、離鍵状態において、ハンマー５のアクチュエータ部２６に若干の間隔をもって対向している。さらに、スイッチ取付部２０の下面の前端部には、ハンマー５の上方への回動を規制する、発泡ウレタンなどで構成されたハンマーストッパ３１が設けられている。
【００２５】
次に、上記構成の鍵盤装置１の動作について説明する。図１に示す離鍵状態から鍵２が押鍵されると、鍵２は、バランスピン１３を中心として、同図の反時計方向に回動し、それに伴い、ハンマー５は、キャプスタンスクリュー２５を介して押し上げられ、支点軸部２１を中心として、上方（同図の時計方向）に回動する。
【００２６】
このハンマー５の回動の途中で、その係合突起２７が、レットオフ部品６の頭部２８に係合し、頭部２８を介してレットオフ部品６を圧縮させながら押圧することにより、レットオフ部品６からハンマー５に作用する反力が増大する。ハンマー５の回動が進むと、係合突起２７が頭部２８から外れることで、レットオフ部品６からの反力が急激に消失する。このようなレットオフ部品６の反力の増大と消失によって、アコースティックピアノに近似したレットオフ感が得られる。
【００２７】
その後、ハンマー５がハンマーストッパ３１に当接することによって、ハンマー５の上方への回動が終了する。また、ハンマー５の上方への回動の間、そのアクチュエータ部２６が鍵スイッチ７のスイッチ本体３０を押圧し、鍵スイッチ７をＯＮすることによって、ハンマー５の回動量に応じた鍵２の押鍵情報が検出され、発音制御装置（図示せず）に出力される。そして、この発音制御装置により、検出された押鍵情報に基づいて、電子ピアノの発音が制御される。
【００２８】
その後、鍵２が離鍵されると、鍵２は押鍵時と反対方向に回動し、図１に示す離鍵状態に復帰し、それに伴い、ハンマー５も、下方に回動し、離鍵状態に復帰する。
【００２９】
次に、本発明に係るハンマー装置について、詳細に説明する。図２および図３は、１オクターブ分のハンマーサポート４を示している。前述したように、このハンマーサポート４は、合成樹脂の成形品で構成されており、互いに左右方向に所定間隔を隔てた状態で、隣り合うハンマー５を仕切る複数の仕切壁５１を有している。各仕切壁５１は、前記ハンマー支持部１９に対応し、側面形状が縦長のほぼ長方形状に形成された方形壁５２と、前記スイッチ取付部２０に対応し、方形壁５２の上部前端に連なりかつ側面形状がほぼ三角形状に形成された三角壁５３とで構成されている。そして、このハンマーサポート４において、すべての方形壁５２は、その下部の前端部および下端部が左右方向に連なるとともに、上部の後端部が、背壁部５４を介して、左右方向に連なっている。一方、すべての三角壁５３は、その上部の前半部が、上壁部５５を介して、左右方向に連なっている。
【００３０】
背壁部５４の前面上端部には、方形壁５２の上端付近に適宜、斜め上前方に突出する複数の基板係止部５４ａが突設されている。これらの基板係止部５４ａと各方形壁５２との間に、鍵スイッチ７のスイッチ基板２９の後端部が差し込まれた状態で係止される。
【００３１】
上壁部５５には、その上面前端部に、ねじ孔５６ａを有しかつ上方に所定長さ突出する複数（本実施形態では２つ）のねじ止め部５６が設けられる一方、上面後端部に、上方に所定長さ突出する複数（本実施形態では３つ）の基板支持部５７が設けられている。各基板支持部５７は、左右方向に若干間隔を隔てた一対の突起で構成され、両突起の間にねじ孔５７ａが形成されている。また、上壁部５５には、隣り合う仕切壁５１、５１（三角壁５３、５３）の間にそれぞれ、前記レットオフ部品６を取り付けるための複数の取付孔５８が形成されている。なお、上壁部５５の各取付孔５８の後方に形成された開口５９は、ハンマー５が上方に回動したときに、レットオフ部品６に係合するハンマー５の係合突起２７が、上壁部５５に当たるのを回避するためのものである。
【００３２】
また、隣り合う仕切壁５１、５１間にはそれぞれ、方形壁５２と三角壁５３が連なる部分に、左右方向に延びる前記支点軸部２１が設けられている。この支点軸部２１の断面形状は、図２（ｂ）に示すように、縦長の長円状に形成されており、具体的には、上端部および下端部が円弧状に形成されるとともに、それらの間が互いに平行な直線状に形成されている。そして、前述したように、この支点軸部２１にハンマー５が回動自在に支持されており、また、このハンマー５は、支点軸部２１に係合する軸穴２４を介して、ハンマーサポート４に対し、着脱自在になっている。
【００３３】
図４は、ハンマー５を示しており、このハンマー５ａは、白鍵２ａ用のものである。同図に示すように、ハンマー本体２２は、基本的に左右対称に構成されるとともに、図４（ｂ）に示すような所定の側面形状を有している。ハンマー本体２２の前端部は、比較的薄い所定の厚さを有する板状の錘取付部４１になっており、この錘取付部４１の左右の側面に、板状の錘板２３、２３がリベット４２によって取り付けられている。また、ハンマー本体２２の錘取付部４１よりも後ろ側の部分には、ハンマー本体２２の長さ方向に沿って、前凹部４３ａ、中凹部４３ｂおよび後凹部４３ｃから成る３つの凹部４３が並設されている。これらの前凹部４３ａ、中凹部４３ｂおよび後凹部４３ｃは、ハンマー本体２２の左右の両側面に形成されており、それぞれの周縁部を残して、側面のほぼ全体に設けられている。
【００３４】
ハンマー本体２２の後端部に設けられた軸穴２４は、側面形状が上方に開放するＣ字状に形成されており、その開放部分には、外方に広がるように形成されたガイド部４４が設けられている。つまり、ハンマー５は、ハンマー本体２２の軸穴２４の開放部分を介して、支点軸部２１に対して着脱可能になっている。
【００３５】
図５（ａ）は、押鍵時におけるハンマー５の回動範囲を示している。すなわち、押鍵時には、ハンマー５は、実線で示す離鍵状態の位置と、２点鎖線で示す位置との間で回動する。この場合、ハンマーサポート４の支点軸部２１に係合するハンマー５の軸穴２４は、その開放部分が真上よりも後ろ側に向いた状態で回動する。このため、断面形状が長円状の支点軸部２１に係合する軸穴２４は、支点軸部２１に対して抜け止め状態に維持されるので、ハンマー５が支点軸部２１から外れることはない。
【００３６】
一方、図５（ｂ）は、ハンマー５をハンマーサポート４から取り外す際のハンマー５の動作を示している。なお、このハンマー５の取り外しは、メンテナンス時などにおいて行われ、対応する鍵２、すなわち、ハンマー５がキャプスタンスクリュー２５を介して載置されている鍵２を、あらかじめ鍵盤装置１から取り外した状態で実行される。同図（ｂ）に示すように、ハンマー５を、２点鎖線で示す離鍵状態の位置から、実線で示す取り外し位置まで、下方に所定角度、回動させる。この場合、支点軸部２１に係合しているハンマー５の軸穴２４は、その開放部分が真上に向き、それにより、支点軸部２１からの取り外しが可能となる。
【００３７】
前述した図１に示すように、鍵盤装置１では、アコースティックなグランドピアノに近似したタッチ感を得られるよう、従来の電子ピアノの鍵盤装置に比べて、鍵前部長さが長く、鍵後部長さが短く構成されており、したがって、バランスピン１３は、ハンマー５に近い位置に立設されている。同図に示すように、白鍵２ａに対応する前側のバランスピン１３は、ハンマー５よりも前方に立設されているものの、黒鍵２ｂに対応する後ろ側のバランスピン１３は、ハンマー５の前端付近に立設されている。この場合、白鍵２ａ用のハンマー５ａは、回動時にバランスピン１３に干渉することはないものの、そのハンマー５ａと同じものを、黒鍵２ｂ用のハンマー５として使用すると、そのハンマー５が、バランスピン１３に干渉するおそれがある。このため、黒鍵２ｂ用のハンマー５は、回動時にバランスピン１３に干渉するのを回避できるよう、図６に示すように構成されている。
【００３８】
同図に示すように、黒鍵２ｂ用のハンマー５ｂは、前述した白鍵２ａのハンマー５ａに対し、錘板２３が取り付けられた錘取付部４５のみが異なっている。この錘取付部４５は、白鍵用ハンマー５ａの錘取付部４１に比べて、前後方向の長さが短くかつ厚く形成されており、より具体的には、前端４５ａがバランスピン１３よりも後方に位置しかつバランスピン１３の横断面の直径よりも大きい厚さ寸法を有している。したがって、黒鍵用ハンマー５ｂでは、錘取付部４５の左右の側面に取り付けられた左右２つの錘板２３、２３（左右２つの錘）は、バランスピン１３の横断面の直径よりも大きい間隔を隔てた状態に配置されている。これにより、黒鍵用ハンマー５ｂは、バランスピン１３に干渉するのを確実に回避することができ、例えば、図６（ｂ）に示すように、実線で示す離鍵状態の位置よりも下方に回動しても、ハンマー本体２２および両錘板２３、２３がバランスピン１３に当たることはない。
【００３９】
以上詳述したように、本実施形態によれば、黒鍵用ハンマー５ｂにおいて、ハンマー本体２２の前端、すなわち錘取付部４５の前端４５ａが、バランスピン１３よりも後方に位置し、かつ、左右の錘板２３、２３が、バランスピン１３の直径よりも大きい間隔を隔てた状態に配置されているので、黒鍵用ハンマー５ｂの回動時に、これがバランスピン１３当たることはない。すなわち、押鍵に連動して上方に回動した黒鍵用ハンマー５ｂが、離鍵に伴い、下方に回動して元の離鍵状態の位置に戻る場合でも、バランスピン１３に当たることはない。加えて、ハンマーサポート４からの黒鍵用ハンマー５ｂの取り外しの際に、バランスピン１３が邪魔になることはない。以上のように、本実施形態の黒鍵用ハンマー５ｂによれば、黒鍵用ハンマー５ｂがバランスピン１３に当たるのを確実に回避できるとともに、ハンマーサポート４からの黒鍵用ハンマー５ｂの取り外しを確保することができる。
【００４０】
なお、本発明は、説明した上記実施形態に限定されることなく、種々の態様で実施することができる。図７は、黒鍵用ハンマーの変形例５ｃを示している。同図に示すように、この黒鍵用ハンマー５ｃでは、ハンマー本体２２における錘取付部４６が、上述した黒鍵用ハンマー５ｂの錘取付部４５に比べて薄く形成され、白鍵用ハンマー５ａの錘取付部４１と同じ厚さに形成されている。また、黒鍵用ハンマー５ｃの左右の錘板４７、４７は、バランスピン１３の付近で、互いに間隔が大きくなるように形成されている。この黒鍵用ハンマー５ｃも、上述した黒鍵用ハンマー５ｂと同様の作用、効果を得ることができる。
【００４１】
また、実施形態で示した黒鍵用ハンマー５ｂの細部の構成などは、あくまで例示であり、本発明の趣旨の範囲内で適宜、変更することができる。
【符号の説明】
【００４２】
１    鍵盤装置
２    鍵
２ａ  白鍵
２ｂ  黒鍵
４    ハンマーサポート
５    ハンマー
５ａ  白鍵用ハンマー
５ｂ  黒鍵用ハンマー
５ｃ  黒鍵用ハンマーの変形例
１３    バランスピン
２２    ハンマー本体
２３    錘板
４１    錘取付部
４５    黒鍵用ハンマーの錘取付部
４６    黒鍵用ハンマーの変形例の錘取付部
４７    黒鍵用ハンマーの変形例の錘板
【図１】
0005750024.tif 000002
【図２】
0005750024.tif 000003
【図３】
0005750024.tif 000004
【図４】
0005750024.tif 000005
【図５】
0005750024.tif 000006
【図６】
0005750024.tif 000007
【図７】
0005750024.tif 000008